(57)【要約】  光コネクタに係り、該光コネクタは、光ファイバラインの端部が嵌め込まれる嵌め込み溝を具備する光ファイバライン固定ブロックと、光ファイバライン固定ブロックの位置を決める第１ガイド壁を具備し、光ファイバラインと連結される光素子の位置を決める第２ガイド壁を具備するサブマウントと、を含み、光ファイバライン固定ブロックと光素子は、第１ガイド壁及び第２ガイド壁によって自動的に整列される。
2016500840.tif 000002
【特許請求の範囲】
【請求項１】
光ファイバラインの端部が嵌め込まれる嵌め込み溝を具備する光ファイバライン固定ブロックと、
前記光ファイバライン固定ブロックの位置を決める第１ガイド壁を具備し、前記光ファイバラインと連結される光素子の位置を決める第２ガイド壁を具備するサブマウントと、を含み、
前記光ファイバライン固定ブロックと前記光素子は、前記第１ガイド壁及び前記第２ガイド壁によって自動的に整列される光コネクタ。
【請求項２】
前記光ファイバラインの端部は、前記嵌め込み溝に嵌め込まれながら固定され、
前記光ファイバライン固定ブロック及び前記光素子は、前記第１ガイド壁及び前記第２ガイド壁により、前記サブマウントに固定されることを特徴とする請求項１に記載の光コネクタ。
【請求項３】
前記嵌め込み溝、第１ガイド壁及び第２ガイド壁は、前記光ファイバラインの端部と、前記光素子とが一直線上に配置されるように、既定の位置に設けられることを特徴とする請求項１に記載の光コネクタ。
【請求項４】
前記第１ガイド壁は、前記光ファイバライン固定ブロックの両側に配置されることを特徴とする請求項１に記載の光コネクタ。
【請求項５】
前記第１ガイド壁は、前記光ファイバライン固定ブロックの縁を取り囲んで配置されることを特徴とする請求項１に記載の光コネクタ。
【請求項６】
前記第１ガイド壁及び第２ガイド壁は、ポリマーからなることを特徴とする請求項１に記載の光コネクタ。
【請求項７】
前記サブマウントは、前記第１ガイド壁及び第２ガイド壁の下部に基板をさらに含み、
前記第１ガイド壁及び第２ガイド壁は、前記基板と同一の物質からなることを特徴とする請求項１に記載の光コネクタ。
【請求項８】
前記第２ガイド壁は、前記光素子の両側に配置されることを特徴とする請求項１に記載の光コネクタ。
【請求項９】
前記嵌め込み溝は、複数の第３ガイド壁間の空間からなることを特徴とする請求項１に記載の光コネクタ。
【請求項１０】
前記光ファイバライン固定ブロックは、光ファイバラインを支持する支え台をさらに含むことを特徴とする請求項１に記載の光コネクタ。
【請求項１１】
前記光素子は、受光素子または発光素子であることを特徴とする請求項１に記載の光コネクタ。
【請求項１２】
前記光素子は、ＥＥＬＤまたはＶＣＳＥＬであることを特徴とする請求項１に記載の光コネクタ。
【請求項１３】
前記光素子は、複数の受光素子または発光素子のアレイによってなることを特徴とする請求項１に記載の光コネクタ。
【請求項１４】
複数の光ファイバラインと複数の光素子とが連結される光コネクタにおいて、
前記複数の光ファイバライン端部にかけて配置される反射板と、
前記複数の光ファイバラインの端部が嵌め込まれる嵌め込み溝を具備する光ファイバライン固定ブロックと、
前記光ファイバライン固定ブロックの位置を決める第１ガイド壁を具備し、前記光素子の位置を決める第２ガイド壁を具備するサブマウントと、を含む光コネクタ。
【請求項１５】
前記嵌め込み溝、第１ガイド壁及び第２ガイド壁は、前記光ファイバラインの端部と、前記光素子とが一直線上に配置されるように、既定の位置に設けられることを特徴とする請求項１４に記載の光コネクタ。
【請求項１６】
前記複数の光素子上部に配置されるものであり、前記反射板を支持する支持台をさらに含むことを特徴とする請求項１４に記載の光コネクタ。
【請求項１７】
前記支持台の位置により、前記反射板の角度の調節が行われることを特徴とする請求項１６に記載の光コネクタ。
【請求項１８】
前記支持台の位置により、前記光ファイバラインと前記光素子とが連結される光路が変更されることを特徴とする請求項１６に記載の光コネクタ。
【請求項１９】
前記反射板は、前記複数の光ファイバラインの端部とまたがる部分に溝を具備することを特徴とする請求項１４に記載の光コネクタ。
【請求項２０】
前記反射板の溝は、上部の幅が下部の幅より広いリセスの形状を有することを特徴とする請求項１９に記載の光コネクタ。
【請求項２１】
前記反射板は、エポキシによって固定されることを特徴とする請求項１４に記載の光コネクタ。
【請求項２２】
前記光ファイバラインの端部は、前記嵌め込み溝に嵌め込まれながら固定され、
前記光ファイバライン固定ブロック及び前記光素子は、前記第１ガイド壁及び前記第２ガイド壁により、前記サブマウントに固定され、
前記光ファイバラインと前記嵌め込み溝との間、及び前記光素子と前記サブマウントとの間にエポキシがさらに含まれることを特徴とする請求項１４に記載の光コネクタ。
【請求項２３】
前記光素子は、垂直共振表面発光レーザーダイオードであることを特徴とする請求項１４に記載の光コネクタ。
【発明の詳細な説明】
【技術分野】
【０００１】
本発明は、光コネクタに係り、さらに具体的には、複数の発光素子または複数の受光素子が、複数の光ファイバラインと容易に連結される光コネクタに関する。
【背景技術】
【０００２】
光コネクタは、一般的に、ＤＶＩ形式（digital visual interface）またはＨＤＭＩ（high-definition multimedia interface）形式の信号を光伝送するために使用される。光コネクタは、素子挿入部材と光ファイバ挿入部材とが互いに結合される構造を有する。ここで、素子挿入部材には、複数の受光素子または複数の発光素子が挿入される。また、光ファイバ挿入部材には、光ファイバラインが挿入される。
【０００３】
このような光コネクタは、光ファイバラインを受光素子または発光素子それぞれの光入出口に正確に対向するように整列させることが要求される。そのために、フリップチップボンダ（flip chip bonder）やダイボンダ（die bonder）を利用した精密な素子整列方法や、能動整列装備などを利用した方法を使用しているが、前記装備は、高価であり、その工程方法が複雑であるという短所がある。
【発明の概要】
【発明が解決しようとする課題】
【０００４】
本発明は、前記従来の問題点を解決するためのものであり、組み立て過程において、光ファイバラインと、受光素子または発光素子とが容易に整列される光コネクタを提供するものである。
【課題を解決するための手段】
【０００５】
本発明の望ましい一実施形態による光コネクタは、光ファイバラインの端部が嵌め込まれる嵌め込み溝を具備する光ファイバライン固定ブロックと、前記光ファイバライン固定ブロックの位置を決める第１ガイド壁を具備し、前記光ファイバラインと連結される光素子の位置を決める第２ガイド壁を具備するサブマウントと、を含み、前記光ファイバライン固定ブロックと前記光素子は、前記第１ガイド壁及び前記第２ガイド壁によって自動的に整列される。
【発明の効果】
【０００６】
前述のように、本開示による光コネクタは、嵌め込み溝、第１ガイド壁及び第２ガイド壁を具備しており、光コネクタの組み立て過程において、光ケーブル内の光ファイバラインと、それに対応する光素子とが自動的に整列される。
【０００７】
また、本開示による光コネクタは、支持台の位置変更によって光路を容易に変えることができ、光ケーブルの性能を容易に改善することができる。
【０００８】
そして、本開示による光コネクタは、反射板の形状を調節し、光路を容易に変えることができる。
【０００９】
このように、本開示による光コネクタは、高価の装備を使用せず、光ファイバと光素子とを整列することができ、光コネクタの性能を容易に改善することができるという長所がある。
【図面の簡単な説明】
【００１０】
【図１】本開示の一実施形態による光コネクタによる連結関係を示す分離斜視図である。
【図２Ａ】本開示の一実施形態に適用される光素子及び支持台を示した斜視図である。
【図２Ｂ】本開示の一実施形態に適用される光素子及び支持台を示した斜視図である。
【図３】図１の光コネクタによって連結された状態を示す断面図である。
【図４】図１の光コネクタによって連結された状態を示す平面図である。
【図５Ａ】支持台の位置を調整することによって示される光路の変化を説明するための図面である。
【図５Ｂ】支持台の位置を調整することによって示される光路の変化を説明するための図面である。
【図５Ｃ】支持台の位置を調整することによって示される光路の変化を説明するための図面である。
【図６Ａ】反射板の反射面の位置を調整することによって示される光路の変化を説明するための図面である。
【図６Ｂ】反射板の反射面の位置を調整することによって示される光路の変化を説明するための図面である。
【図７Ａ】図６Ｂに適用される反射板の形状を示す図面である。
【図７Ｂ】図６Ｂに適用される反射板の形状を示す図面である。
【図８】本開示の他の実施形態による光コネクタによる連結関係を示す分離斜視図である。
【発明を実施するための形態】
【００１１】
一類型による光コネクタは、光ファイバラインの端部が嵌め込まれる嵌め込み溝を具備する光ファイバライン固定ブロックと、前記光ファイバライン固定ブロックの位置を決める第１ガイド壁を具備し、前記光ファイバラインと連結される光素子の位置を決める第２ガイド壁を具備するサブマウントと、を含み、前記光ファイバライン固定ブロックと前記光素子は、前記第１ガイド壁及び前記第２ガイド壁によって自動的に整列される。
【００１２】
前記光ファイバラインの端部は、前記嵌め込み溝に嵌め込まれながら固定され、前記光ファイバライン固定ブロック及び前記光素子は、前記第１ガイド壁及び前記第２ガイド壁により、前記サブマウントに固定されもする。
【００１３】
前記嵌め込み溝、第１ガイド壁及び第２ガイド壁は、前記光ファイバラインの端部と、前記光素子とが一直線上に配置されるように、既定の位置に設けられもする。
【００１４】
前記第１ガイド壁は、前記光ファイバライン固定ブロックの両側に配置されもする。
【００１５】
前記第１ガイド壁は、前記光ファイバライン固定ブロックの縁を取り囲んで配置されもする。
【００１６】
前記第１ガイド壁及び第２ガイド壁は、ポリマーからなってもよい。
【００１７】
前記サブマウントは、前記第１ガイド壁及び第２ガイド壁の下部に基板をさらに含み、前記第１ガイド壁及び第２ガイド壁は、前記基板と同一の物質からもなる。
【００１８】
前記第２ガイド壁は、前記光素子の両側に配置されもする。
【００１９】
前記嵌め込み溝は、複数の第３ガイド壁間の空間からもなる。
【００２０】
前記光ファイバライン固定ブロックは、光ファイバラインを支持する支え台をさらに含んでもよい。
【００２１】
前記光素子は、受光素子または発光素子でもある。
【００２２】
前記光素子は、ＥＥＬＤ（edge emitting laser diode）またはＶＣＳＥＬ（vertical cavity surface emitting laser diode）でもある。
【００２３】
前記光素子は、複数の受光素子または発光素子のアレイからもなる。
【００２４】
一類型による光コネクタは、複数の光ファイバラインと複数の光素子とが連結される光コネクタにおいて、前記複数の光ファイバライン端部にかけて配置される反射板と、前記複数の光ファイバラインの端部が嵌め込まれる嵌め込み溝を具備する光ファイバライン固定ブロックと、前記光ファイバライン固定ブロックの位置を決める第１ガイド壁を具備し、前記光素子の位置を決める第２ガイド壁を具備するサブマウントと、を含む。
【００２５】
前記嵌め込み溝、第１ガイド壁及び第２ガイド壁は、前記光ファイバラインの端部と、前記光素子とが一直線上に配置されるように、既定の位置に設けられもする。
【００２６】
一類型による光コネクタは、前記複数の光素子上部に配置されるものであり、前記反射板を支持する支持台をさらに含んでもよい。
【００２７】
前記支持台の位置により、前記反射板の角度の調節が行われる。
【００２８】
前記支持台の位置により、前記光ファイバラインと前記光素子とが連結される光路が変更されもする。
【００２９】
前記反射板は、前記複数の光ファイバラインの端部とまたがる部分に溝を具備することができる。
【００３０】
前記反射板の溝は、上部の幅が下部の幅より広いリセスの形状を有することができる。
【００３１】
前記反射板は、エポキシによって固定されもする。
【００３２】
前記光ファイバラインの端部は、前記嵌め込み溝に嵌め込まれながら固定され、前記光ファイバライン固定ブロック及び前記光素子は、前記第１ガイド壁及び前記第２ガイド壁により、前記サブマウントに固定され、前記光ファイバラインと前記嵌め込み溝との間、及び前記光素子と前記サブマウントとの間にエポキシがさらに含まれる。
【００３３】
前記光素子は、垂直共振表面発光レーザーダイオードでもある。
【００３４】
以下、添付された図面を参照し、本発明の実施形態について詳細に説明する。図面において、同一参照符号は、同一構成要素を指し、各構成要素の大きさや厚さは、説明の明瞭性のために誇張されてもいる。
【００３５】
図１は、本開示の一実施形態による光コネクタによる連結関係を示す分離斜視図である。図２Ａ及び図２Ｂは、本開示の一実施形態に適用される光素子３００及び支持台３３０を示した斜視図である。図３は、図１の光コネクタによって連結された状態を示す断面図である。図４は、図１の光コネクタによって連結された状態を示す平面図である。図面において、同一参照符号は、同一部材を示し、説明の簡略化のために、それらの重複説明は省略する。
【００３６】
図１ないし図４を参照すれば、本開示の一実施形態による光コネクタは、光ケーブル４００の光ファイバライン４０５と光素子３００とを連結させるものであり、反射板５００、支持台３３０、光ファイバライン固定ブロック２００、サブマウント１００を含む。
【００３７】
光ケーブル４００は、複数の光ファイバライン４０５を含んでもよい。光ファイバライン４０５は、光が進むコア４１０と、コア４１０を取り囲むクラッディング層４３０とから構成される。
【００３８】
光素子３００は、光を出射する発光素子、または光を入力されて電気信号に変える受光素子でもある。一部の実施形態において、光素子３００は、垂直共振表面発光レーザーダイオード（ＶＣＳＥＬ：vertical cavity surface emitting laser diode）でもある。一部の実施形態において、光素子３００は、ほぼ８５０ｎｍ波長を放出するレーザーダイオードでもある。一部の実施形態において、光素子３００は、光感知器（ＰＤ：photo detector）でもある。
【００３９】
図２Ａを参照すれば、本実施形態の光コネクタに連結される光素子３００は、複数のアレイで構成される。または、図２Ｂに図示されているように、複数の光出入口３０１がある単一チップからも構成される。たとえ図２Ａでは、光素子３００の個数を６個として図示しているにしても、それに限定されるものではない。例えば、光素子３００は、ｎｘ１のアレイ（ｎは、光素子の個数）からも構成される。また、光素子３００は、アレイと単一チップとの組み合わせからも構成される。
【００４０】
反射板５００は、光ファイバライン４０５のコア４１０と、光素子３００の光出入口とが光路上に置かれるという役割を行う。言い換えれば、光素子３００が発光素子である場合、光素子３００から出射される光は、反射板５００によって反射し、光ファイバライン４０５のコア４１０に入射される。または、光素子３００が受光素子である場合、光ファイバライン４０５から出射される光は、反射板５００によって反射し、光素子３００に入射される。
【００４１】
反射板５００は、その一側が、光ファイバラインの端部にかけて配置され、他の一側は、後述する支持台３３０によって支えられる。反射板５００の固定のために、反射板５００と支持台３３０とが出合う部分に、エポキシ処理を施す。
【００４２】
支持台３３０は、前記反射板５００を支持する役割が行う。支持台３３０は、光素子３００の上部面に配置される。
【００４３】
図２Ａを参照すれば、前記支持台３３０は、複数の光素子３００それぞれに配置され、その総個数は、複数でもある。図２Ｂを参照すれば、光素子３００が、複数の光出入口３０１がある単一チップでもって製作された場合、前記支持台３３０は、一体型に長く形成される。
【００４４】
支持台３３０の位置によって、反射板５００の角度を調整することができ、光路の長さを調節することができる。これについては後述する。
【００４５】
一部の実施形態において、支持台３３０を形成するために、光素子３００の上部に、ポリマーをコーティングした後、フォトリソグラフィ工程を通じてパターンを形成することができる。すなわち、ポリマーをコーティング、マスクを使用した露光、現像、ハードベーキングの過程を介して、支持台３３０状のパターンを形成することができる。しかし、それに限定されるものではない。例えば、別途の支持台３３０を製作した後、光素子３００上部に付着させることもでき、光素子３００の一部をエッチングし、支持台３３０を形成することもできる。
【００４６】
光ファイバライン固定ブロック２００は、光ファイバラインを固定する嵌め込み溝２２５を具備している。また、光ファイバライン固定ブロック２００は、ブロック基板２１０、光ファイバラインを支持する支え台２３０をさらに含んでもよい。
【００４７】
嵌め込み溝２２５は、光ファイバラインが嵌め込まれる部分に、複数のガイド壁２５０によって設けられる。すなわち、複数のガイド壁２５０間の空間が嵌め込み溝２２５にもなる。嵌め込み溝２２５の位置は、光ファイバライン４０５の端部と、光素子３００の入出口（図示せず）とが一直線上に配置されるように決められる。
【００４８】
複数のガイド壁２５０は、光ファイバライン４０５の長さが、方向によって、光ファイバライン４０５の位置をガイドするように配置される。一部の実施形態において、複数のガイド壁２５０を形成するために、前記支持台３３０を形成する方法と同一であるか、あるいは類似した方法を利用することができる。すなわち、フォトリソグラフィを利用したり、あるいは光ファイバライン固定ブロック２００自体をエッチングしたりして形成することができる。または、射出を介して、複数のガイド壁２５０が具備された光ファイバライン固定ブロック２００を形成することができる。従って、複数のガイド壁２５０は、光ファイバライン固定ブロック２００と一体型に形成され、同一物質からもなる。
【００４９】
前記光ファイバライン４０５と前記嵌め込み溝２２５との間には、それらを固定するためのエポキシが追加される。
【００５０】
ブロック基板２１０は、シリコンウェーハ、ＧａＡｓウェーハ、ガラス材、金属材、プラスチック材など多様な材質からもなる。
【００５１】
支え台２３０は、光ファイバライン４０５を支持する役割を行う。言い換えれば、支え台２３０は、光ケーブル４００のジャケットを除去することによって生じる段差を補正し、光ファイバラインの反りを防止することができる。一部の実施形態において、支え台２３０は、ポリマーからもなる。支え台２３０を形成するために、フォトリソグラフィを利用したり、あるいは光ファイバライン固定ブロック２００をエッチングして形成したりすることができる。
【００５２】
サブマウント１００は、基板１１０上に光ファイバライン固定ブロック２００の位置を決める第１ガイド壁１３０、及び光素子３００の位置を決める第２ガイド壁１５０を具備する。
【００５３】
基板１１０は、シリコンウェーハ、ＧａＡｓウェーハ、ガラス材、金属材、プラスチック材など多様な材質からもなる。
【００５４】
第１ガイド壁１３０及び第２ガイド壁１５０の位置は、光ファイバライン４０５と、光素子３００の入出口（図示せず）とが一直線上に置かれるように事前に決められる。
【００５５】
第１ガイド壁１３０は、光ファイバライン固定ブロック２００の位置を決める役割を行う。第１ガイド壁１３０は、光ファイバライン固定ブロック２００の両側に配置され、光ファイバライン固定ブロック２００が、２つの第１ガイド壁１３０間に嵌め込まれる形態で結合される。一部の実施形態において、第１ガイド壁１３０は、光ファイバライン固定ブロック２００の縁を取り囲みながら配置される。
【００５６】
第２ガイド壁１５０は、光素子３００の位置を決める役割を行う。第２ガイド壁１５０は、光素子３００または光素子３００アレイの両側に配置され、光素子３００または光素子３００アレイが、２つの第２ガイド壁１５の間に嵌め込まれる形態で結合される。
【００５７】
たとえ図面では、第１ガイド壁１３０と第２ガイド壁１５０とが分離されているように図示されているにしても、第１ガイド壁１３０と第２ガイド壁１５０とが一体型によってもなる。
【００５８】
一部の実施形態において、第１ガイド壁１３０及び／または第２ガイド壁１５０は、ポリマー、例えば、ＳＵ−８でもあるが、それに限定されるものではない。一部実施形態において、第１ガイド壁１３０及び／または第２ガイド壁１５０は、基板１１０と同一の材質でもある。
【００５９】
第１ガイド壁１３０及び／または第２ガイド壁１５０を形成するために、一部の実施形態において、前記基板１１０上にポリマーを塗布した後、フォトリソグラフィ工程を利用して、第１ガイド壁１３０及び／または第２ガイド壁１５０のパターンを形成することができる。すなわち、ポリマー塗布、マスクを利用しての露光、現象、ハードベーキングの過程を経て、第１ガイド壁１３０及び／または第２ガイド壁１５０を形成することができる。第１ガイド壁１３０と第２ガイド壁１５０は、同時にも形成される。
【００６０】
他の実施形態において、基板１１０を湿式エッチングまたは乾式エッチングし、第１ガイド壁１３０及び／または第２ガイド壁１５０を形成することもできる。さらに他の実施形態において、基板１１０、第１ガイド壁１３０及び第２ガイド壁１５０は、金型を介して一体型に製作される。すなわち、サブマウント１００は、射出物でもある。
【００６１】
光ファイバライン固定ブロック２００と基板１１０との間、または光素子３００と基板１１０との間には、それらを固定するエポキシを適用することができる。例えば、光素子３００は、基板１１０上にエポキシによって固定される。
【００６２】
要約すれば、光ファイバライン固定ブロック２００の嵌め込み溝２２５に、光ファイバライン４０５の端部が固定され、サブマウント１００の第１ガイド壁１３０の間に、光ファイバライン固定ブロック２００が配置され、第２ガイド壁１５０の間に、光素子３００が配置される。
【００６３】
前記第１ガイド壁１３０、第２ガイド壁１５０、嵌め込み溝２２５またはガイド壁２５０の位置は、光ファイバライン４０５と光素子３００とが一直線上に配置されるように既定の位置に設けられる。
【００６４】
これにより、図３及び図４に図示されているように、本実施形態による光コネクタの組み立て過程において、 光ケーブル４００内の光ファイバライン４０５と、それに対応する光素子３００は、自動的に整列される。
【００６５】
図３のＡは、光コネクタによって、光ファイバライン４０５と光素子３００とが整列された状態を示す断面拡大図である。説明の便宜のために、光素子３００が発光素子である場合と仮定する。
【００６６】
図３のＡを参照すれば、反射板５００は、光素子３００から出射される光が、光ファイバライン４０５のコア４１０に入射されるように、光路を調整する役割を行う。反射板５００が、光素子３００の上部面となす角度θは、光ファイバライン４０５の端部と支持台３３０との間の距離Ｌを調整することによって変更される。それにより、光路が調整される。
【００６７】
図５Ａないし図５Ｃは、支持台３３０の位置を調整することによって示される光路の変化について説明するための図面である。図５Ａないし図５Ｃにおいて、光素子３００の光出口、すなわち、光が出射される領域は、同一位置にある。
【００６８】
図５Ａを参照すれば、反射板５００は、光素子３００の上部面と第１角度θ１を有し、光ファイバライン４０５の端部と支持台３３との距離は第１長さＬ１を有する。その場合、光素子３００から出た光は、ほとんどコア４１０の断面に対して垂直に入射される。
【００６９】
図５Ａのような光路を有する場合、コア４１０に入射される光量は多いが、光がコア４１０の断面に対して垂直に入射すれば、コア４１０によって再反射され、光素子３００から出射される光と干渉を起こすことがある。コア４１０に入射される光量、及び前記のような光干渉が許容される範囲は、光ケーブルの使用用途などによって適切に設計される。
【００７０】
コア４１０に入射される光量及び光干渉を調節するために、光路を変更する必要がある。本開示においては、支持台３３０の位置を変更することにより、光路を変更することができる。
【００７１】
図５Ｂを参照すれば、反射板５００は、光素子３００の上部面と第２角度θ２を有し、光ファイバライン４０５の端部と、支持台３３０間との距離は、第２長さＬ２を有する。
【００７２】
前記第２長さＬ２は、前記第１長さＬ１より大きい値を有し、それにより、前記第２角度θ２は、前記第１角度θ１より小さい値を有する。その場合、光素子３００から出た光は、コア４１０の断面に対して垂直に入射される光の量が減り、前記光素子３００側に再反射される光が低減される。それにより、再反射される光と、光素子３００から出射される光との干渉が低減される。
【００７３】
図５Ｃを参照すれば、反射板５００は、光素子３００の上部面と第３角度θ３を有し、光ファイバライン４０５の端部と支持台３３０との距離は、第３長さＬ３を有する。
【００７４】
前記第３長さＬ３は、前記第１長さＬ１より小さい値を有し、それにより、前記第３角度θ３は、前記第１角度θ１より大きい値を有する。その場合、光素子３００から出た光は、コア４１０の断面に対して垂直に入射される光の量が減り、それにより、前記光素子３００側に再反射される光が低減される。結果として、コア４１０で再反射される光と、光素子３００から出射される光との干渉が低減される。
【００７５】
そのように、光量及び光干渉を考慮し、支持台３３０の位置を決定することができる。従って、本開示による光コネクタは、そのように、支持台３３０の位置を、光コネクタの用途などによって、容易に設計変更することが可能であるという長所がある。
【００７６】
図６Ａ及び図６Ｂは、反射板５００の反射面の位置を調整することによって示される光路の変化について説明するための図面である。図６Ａは、反射板５００の反射面に溝を形成していない場合を示し、図６Ｂは、反射板６００の反射面の一部に、溝を形成した場合を示している。
【００７７】
図６Ａ及び図６Ｂを参照すれば、図６Ｂの反射板６００は、図６Ａの反射板５００に比べ、反射面に溝６０１を具備しているという点で差がある。前記溝６０１は、光ファイバライン４０５の端部にまたがる。前記溝６０１により、反射板６００は、光素子３００の上部面となす第４角度θ４を維持しながら、光素子３００から出射され、コア４１０に入射される光の経路を短くすることができる。そのとき、支持台３３０の位置も、それに合うように変更される。
【００７８】
図７Ａ及び図７Ｂは、図６Ｂに適用される反射板６００の形状を示している。
【００７９】
図７Ａ及び図７Ｂを参照すれば、反射板６００は、基板６１０上に、反射層６３０を具備する。ここで、反射層６３０の上部面が、反射面になる。また、前記反射板６００は、反射面の一部に、溝６０１，６０３を具備する。一部の実施形態において、基板６１０は、シリコンウェーハでもある。反射層６３０は、光の反射が生じる物質からもなる。一部の実施形態において、反射層６３０は、Ａｕ、Ａｇ、Ｍｇ、Ａｌ、Ｐｔ、Ｐｄ、Ｎｉ、Ｎｄ、Ｉｒ、Ｃｒ、Ｌｉ、ＹｂまたはＣａなどを含んでなる。
【００８０】
溝６０１の形状は、図７Ａのように、光ファイバライン４０５の端部と噛み合うように、「Ｖ」字形でもある。または、図７Ｂでのように、溝６０３は、上部の幅が下部の幅より広いリセス形状を有することもできる。図面では、たとえ溝６０１，６０３の内部にも反射層６３０が具備されているように図示されているにしても、溝６０１，６０３の内部には、反射層６３０が具備されないこともある。一部の実施形態において、溝６０１，６０３は、乾式エッチング、湿式エッチングまたはそれらの組み合わせによって形成される。
【００８１】
溝６０１，６０３の深みｈを調節し、光路の距離を調節することができる。すなわち、溝６０１，６０３の深みｈが大きくなるほど、光路は短くなる。
【００８２】
そのように、本開示による光コネクタは、反射板６００の形状を調節し、光路を容易に変えることができるという長所がある。本開示の他の実施形態によれば、反射板５００，６００は、金型によって製作される。反射板５００，６００が金型によって製作される場合、光が反射される面には、光の反射が良好に起こる物質によってコーティングされる。また、反射板５００，６００の両端に、反射板５００，６００を支持する反射板支え台（図示せず）がさらに具備される。そのような反射板支え台（図示せず）は、サブマウント１００まで逹し、サブマウント１００の溝（図示せず）などと連結される。その場合、光素子３００の上部の支持台３３０は、具備されないこともある。そのように支え台を含む反射板を金型によって製作するのは、反射板５００，６００の最適の角度及び形状を適用するためのものでもある。
【００８３】
図８は、本開示の他の実施形態による光コネクタによる連結関係を示す分離斜視図である。図８において、図１と同一の参照符号は同一部材を示し、ここでは、説明の簡略化のために、それらの重複説明は省略する。
【００８４】
図８を参照すれば、光コネクタ２０は、図１の光コネクタ１０と比較するとき、反射板５００（図１）が使用されないという点で差がある。
【００８５】
光素子８００の光出入口８０１は、光ファイバラインの端部と対向するように配置され、反射板５００がないとしても、光素子８００と光ファイバラインの端部とが光路によって連結される。すなわち、光素子８００が発光素子である場合、光素子８００の光出口８０１から出た光は、直線経路で、光ファイバラインの端部に進行して入射される。それにより、光素子８００は、図１の支持台３３０を具備しない。
【００８６】
光素子８００は、光を出射する発光素子、または光を入力されて電気信号に変える受光素子でもある。一部の実施形態において、光素子８００は、ＥＥＬＤ（edge emitting laser diode）でもある。一部の実施形態において、光素子８００は、レーザーダイオードでもある。一部の実施形態において、光素子８００は、光感知器（ＰＤ：photo detector）でもある。
【００８７】
本実施形態の光コネクタに連結される光素子８００は、複数のアレイによって構成される。または、複数の光出入口８０１を有する単一チップによって構成される。光素子８００は、ｎｘ１のアレイ（ｎは、光素子の個数）によって構成される。また、光素子８００は、アレイと単一チップとの組み合わせによって構成される。
【００８８】
そのように、本開示による光コネクタは、その組み立て過程において、光ケーブル内の光ファイバラインと、それに対応する光素子とが自動的に整列される。
【００８９】
本開示の実施形態による光コネクタは、理解に一助とするために、図面に図示された実施形態を参照にして説明したが、それらは例示的なものに過ぎず、当分野で当業者であるならば、それらから多様な変形及び均等な他の実施形態が可能であるという点を理解するであろう。
【図１】
2016500840.tif 000003
【図２ａ】
2016500840.tif 000004
【図２ｂ】
2016500840.tif 000005
【図３】
2016500840.tif 000006
【図４】
2016500840.tif 000007
【図５ａ】
2016500840.tif 000008
【図５ｂ】
2016500840.tif 000009
【図５ｃ】
2016500840.tif 000010
【図６ａ】
2016500840.tif 000011
【図６ｂ】
2016500840.tif 000012
【図７ａ】
2016500840.tif 000013
【図７ｂ】
2016500840.tif 000014
【図８】
2016500840.tif 000015
【国際調査報告】
2016500840.tif 000016
2016500840.tif 000017
2016500840.tif 000018
2016500840.tif 000019